(57)【要約】  ロッド型イオントフォレーシス装置（１０）は、保持部（２０）の先端に小さな作用側電極構造体（１２）と非作用側電極構造体（１４）を備えて構成され、これらの先端の第１イオン交換膜（４４）及び第４イオン交換膜（５４）を、例えば、皮膚癌の部位に密着させてイオントフォレーシスにより、ピンポイントで薬液を浸透させる構成となっていて、作用側電極構造体（１２）と非作用側電極構造体（１４）はロッド状部材（１６）の先端に取付けられていて、このロッド状部材（１６）は、保持部（２０）の先端に着脱自在とされていて、一体で交換可能である。【特許請求の範囲】
【請求項１】
イオントフォレーシスによりイオン性薬剤を投与するために使用される作用側電極構造体及び非作用側電極構造体と、これらの作用側電極構造体及び非作用側電極構造体に異なる極性で接続される直流電源と、を有するイオントフォレーシス装置であって、
前記作用側電極構造体及び前記非作用側電極構造体を支持するロッド状部材と、このロッド状部材を着脱自在に支持する棒状の保持部とを有してなり、前記作用側電極構造体及び非作用側電極構造体は、前記ロッド状部材の先端に配置され、且つ、相互の間には、一定距離の隙間が設けられていることを特徴とするロッド型イオントフォレーシス装置。
【請求項２】
請求項１において、
前記イオン性薬剤は、光を吸収して作動する光増感反応物質であり、前記保持部は、前記作用側電極構造体の先端近傍から光を照射する照射光学系を有することを特徴とするロッド型イオントフォレーシス装置。
【請求項３】
請求項２において、
前記保持部は、前記光増感反応物質が感応する波長の光を出射する発光ダイオード又はレーザダイオードからなる光源と、この光源から出射された光を前記ロッド状部材又はその近傍に導く照射用光ファイバーとを有してなることを特徴とするロッド型イオントフォレーシス装置。
【請求項４】
請求項１乃至３のいずれかにおいて、
前記保持部内には前記直流電源からの配線が収容されていて、この配線を介して直流電源の異なる極性に接続される電源側作用電極端子及び電源側非作用電極端子を有し、
前記ロッド状部材は、前記保持部への取脱側基端に、前記電源側作用電極端子及び電源側非作用電極端子に対して、着脱時に接続又は離間する作用側電極端子及び非作用側電極端子を有し、
これら作用側電極端子及び非作用側電極端子は、前記作用側電極構造体及び非作用側電極構造体における作用側電極及び非作用側電極に接続されていることを特徴とするロッド型イオントフォレーシス装置。
【請求項５】
請求項４において、
前記保持部には制御装置が設けられ、この制御装置は、前記電源側作用電極端子及び電源側非作用電極端子と前記直流電源との間の電源回路に配置され、通電時の電流値及び投与時間である通電時間のうち少なくとも電流値を調節するようにされたことを特徴とするロッド型イオントフォレーシス装置。
【請求項６】
請求項１乃至５のいずれかにおいて、
前記作用側電極構造体及び非作用側電極構造体は、それぞれの中心軸線が平行になるように配置されていることを特徴とするロッド型イオントフォレーシス装置。
【請求項７】
請求項１乃至５のいずれかにおいて、
前記作用側電極構造体及び非作用側電極構造体は、それぞれの中心軸線が先端方向に拡開するように配置されていることを特徴とするロッド型イオントフォレーシス装置。
【請求項８】
請求項１乃至５のいずれかにおいて、
前記作用側電極構造体及び非作用側電極構造体は、それぞれの中心軸線が先端方向で交差するように配置されていることを特徴とするロッド型イオントフォレーシス装置。
【請求項９】
請求項１乃至８のいずれかにおいて、
前記作用側電極構造体は、前記直流電源における、前記イオン性薬剤の帯電イオンと同種の極性に接続された前記作用側電極と、
この作用側電極の前面に配置され、電解液を保持する電解液保持部と、
この電解液保持部の前面に配置され、前記イオン性薬剤の帯電イオンと反対のイオンを選択する第２イオン交換膜と、
この第２イオン交換膜の前面に配置され、前記イオン性薬剤を保持する薬液保持部と、
この薬液保持部の前面に配置され、前記イオン性薬剤の帯電イオンと同種のイオンを選択する前記イオン交換膜である第１イオン交換膜と、
を有してなり、
前記非作用側電極構造体は、
前記直流電源における、前記イオン性薬剤の帯電イオンと反対の極性に接続された前記非作用側電極と、
この非作用側電極の前面に配置され、第２電解液を保持する第２電解液保持部と、
この第２電解液保持部の前面に配置され、前記イオン性薬剤の帯電イオンと同種のイオンを選択する第３イオン交換膜と、
この第３イオン交換膜の前面に配置され、第３電解液を保持する第３電解液保持部と、
この第３電解液保持部の前面に配置され、前記イオン性薬剤の帯電イオンと反対のイオンを選択する前記イオン交換膜である第４イオン交換膜と、
を有してなることを特徴とするロッド型イオントフォレーシス装置。
【発明の詳細な説明】
【技術分野】
【０００１】
本発明は、薬剤イオンを生体に投与するためのロッド型イオントフォレーシス装置に関する。
【背景技術】
【０００２】
上記のようなイオントフォレース装置は、皮膚や粘膜に薬液を浸透させるものであって、従来、小さい場合でも直径が２０ｍｍ程度の比較的広い面積の皮膚や粘膜を対象としている。【０００３】
一方、例えば、口内炎治療、口腔内の局所麻酔、歯科治療の局所麻酔等の口腔内の治療／処置、メラノーマ、皮膚癌等の外皮部の治療の場合、生体の一部（ピンポイント）である患部に、薬剤を直接注入することが治療効果を増大させる場合がある。【０００４】
このような場合、注射するよりも、イオントフォレーシスによって薬剤を浸透させることが、非侵襲的であり好ましい。【０００５】
又、ＰＤＴ（フォトダイナミックセラピー）に際して、光増感反応物質を投与してから、光を照射し、抗癌作用を期待するが、増感剤が体中に廻るため、患者は太陽光が照射されないようにする必要があり、又、患部以外に廻って副作用をもたらすことがある。従って、ＰＤＴでは、患部のみへの増感剤の投与が望まれていた。
【発明の開示】
【０００６】
この発明は、例えば口腔内の局所麻酔、メラノーマ治療等の、医師が外部から視認できる生体の一部に薬液を浸透させる際に用いて好適なイオントフォレーシス装置を提供することを解決課題とする。
【０００７】
以下の各実施例により上記課題を解決することができる。
【０００８】
（１）イオントフォレーシスによりイオン性薬剤を投与するために使用される作用側電極構造体及び非作用側電極構造体と、これらの作用側電極構造体及び非作用側電極構造体に異なる極性で接続される直流電源と、を有するイオントフォレーシス装置であって、前記作用側電極構造体及び前記非作用側電極構造体を支持するロッド状部材と、このロッド状部材を着脱自在に支持する棒状の保持部とを有してなり、前記作用側電極構造体及び非作用側電極構造体は、前記ロッド状部材の先端に配置され、且つ、相互の間には、一定距離の隙間が設けられていることを特徴とするロッド型イオントフォレーシス装置。
【０００９】
（２）前記イオン性薬剤は、光を吸収して作動する光増感反応物質であり、前記保持部は、前記作用側電極構造体の先端近傍から光を照射する照射光学系を有することを特徴とする（１）に記載のロッド型イオントフォレーシス装置。
【００１０】
（３）前記保持部は、前記光増感反応物質が感応する波長の光を出射する発光ダイオード又はレーザダイオードからなる光源と、この光源から出射された光を前記ロッド状部材又はその近傍に導く照射用光ファイバーとを有してなることを特徴とする（２）に記載のロッド型イオントフォレーシス装置。
【００１１】
（４）前記保持部内には前記直流電源からの配線が収容されていて、この配線を介して直流電源の異なる極性に接続される電源側作用電極端子及び電源側非作用電極端子を有し、前記ロッド状部材は、前記保持部への取脱側基端に、前記電源側作用電極端子及び電源側非作用電極端子に対して、着脱時に接続又は離間する作用側電極端子及び非作用側電極端子を有し、これら作用電側極端子及び非作用側電極端子は、前記作用側電極構造体及び非作用側電極構造体における作用側電極及び非作用側電極に接続されていることを特徴とする（１）乃至（３）のいずれかに記載のロッド型イオントフォレーシス装置。
【００１２】
（５）前記保持部には制御装置が設けられ、この制御装置は、前記電源側作用電極端子及び電源側非作用電極端子と前記直流電源との間の給電回路に配置され、通電時の電流値及び投与時間である通電時間のうち少なくとも電流値を調節するようにされたことを特徴とする（４）に記載のロッド型イオントフォレーシス装置。
【００１３】
（６）前記作用側電極構造体及び非作用側電極構造体は、それぞれの中心軸線が平行になるように配置されていることを特徴とする（１）乃至（５）のいずれかに記載のロッド型イオントフォレーシス装置。
【００１４】
（７）前記作用側電極構造体及び非作用側電極構造体は、それぞれの中心軸線が先端方向に拡開するように配置されていることを特徴とする（１）乃至（５）のいずれかに記載のロッド型イオントフォレーシス装置。
【００１５】
（８）前記作用側電極構造体及び非作用側電極構造体は、それぞれの中心軸線が先端方向で交差するように配置されていることを特徴とする（１）乃至（５）のいずれかに記載のロッド型イオントフォレーシス装置。
【００１６】
（９）前記作用側電極構造体は、前記直流電源における、前記イオン性薬剤の帯電イオンと同種の極性に接続された前記作用側電極と、この作用側電極の前面に配置され、電解液を保持する電解液保持部と、この電解液保持部の前面に配置され、前記イオン性薬剤の帯電イオンと反対のイオンを選択する第２イオン交換膜と、この第２イオン交換膜の前面に配置され、前記イオン性薬剤を保持する薬液保持部と、この薬液保持部の前面に配置され、前記イオン性薬剤の帯電イオンと同種のイオンを選択する前記イオン交換膜である第１イオン交換膜と、を有してなり、前記非作用側電極構造体は、前記直流電源における、前記イオン性薬剤の帯電イオンと反対の極性に接続された前記非作用側電極と、この非作用側電極の前面に配置され、第２電解液を保持する第２電解液保持部と、この第２電解液保持部の前面に配置され、前記イオン性薬剤の帯電イオンと同種のイオンを選択する第３イオン交換膜と、この第３イオン交換膜の前面に配置され、第３電解液を保持する第３電解液保持部と、この第３電解液保持部の前面に配置され、前記イオン性薬剤の帯電イオンと反対のイオンを選択する前記イオン交換膜である第４イオン交換膜と、を有してなることを特徴とする（１）乃至（８）のいずれかに記載のロッド型イオントフォレーシス装置。
【図面の簡単な説明】
【００１７】
【図１】本発明の実施の形態の例に係るロッド型イオントフォレーシス装置を示す平面図
【図２】図１のII−II線に沿う拡大側面図
【図３】作用側電極構造体及び非作用側電極構造体の要部を拡大して示す断面図
【図４】作用側電極構造体及び非作用側電極構造体の他の配置例を示す平面図
【図５】作用側電極構造体及び非作用側電極構造体の更に他の配置例を示す平面図
【図６】本発明の実施例２に係るロッド型イオントフォレーシス装置の要部を拡大して示す正面図
【図７】同左側面図
【発明を実施するための最良の形態】
【００１８】
以下本発明を実施するための最良の形態について図面を参照して詳細に説明する。【００１９】
図１、図２に示されるように、この最良の実施形態に係るロッド型イオントフォレーシス装置１０は、イオン性薬剤を投与するために使用される作用側電極構造体１２及び非作用側電極構造体１４と、これらを一体的に支持するロッド状部材１６と、前記作用側電極構造体１２及び非作用側電極構造体１４に異なる極性で接続される直流電源１８と、を有して構成されている。【００２０】
前記作用側電極構造体１２及び非作用側電極構造体１４は、ロッド状部材１６の先端に取り付けられていて、このロッド状部材１６は、棒状の保持部２０の先端に着脱自在に支持され、これにより、作用側電極構造体１２、非作用側電極構造体１４はロッド状部材１６と一体として交換可能とされている。前記保持部２０の、ロッド状部材１６の反対側の基端部は、人の手により握持可能に太径とされた握持部２１とされている。【００２１】
前記保持部２０は、その内側に発光ダイオード（ＬＥＤ）あるいはレーザダイオードからなる照射光源２２、及び、この照射光源２２から出射される光を前記ロッド状部材１６の近傍に導く照射用光ファイバー２４を含む照射光学系２６を有している。前記照射用光ファイバー２４は、図２に示されるように、先端がロッド状部材１６に隣接して配置され、該先端から照射光を出射し、作用側電極構造体１２が接触可能な位置での生体の患部等を照射するようにされている。【００２２】
前記作用側電極構造体１２及び非作用側電極構造体１４は、電源回路２８を介して前記直流電源１８の異なる極性へ接続されている。又、照射光源２２もスイッチ２３を介して直流電源１８に接続されている。【００２３】
前記ロッド状部材１６の保持部２０側の端部には、作用側電極構造体１２に接続される作用側電極端子３２と非作用側電極構造体１４に接続される非作用側電極端子３４とが設けられている。【００２４】
これら作用側電極端子３２と非作用側電極端子３４は、ロッド状部材１６を保持部２０に取付けた時に、該保持部２０側の電源側作用電極端子３３及び電源側非作用電極端子３５にそれぞれ接続するようにされている。【００２５】
前記電源側作用電極端子３３及び電源側非作用電極端子３５は、前記電源回路２８を介して、更に外部に設けられている前記直流電源３０に接続されている。【００２６】
前記ロッド状部材１６は、前記保持部２０の先端よりも小さい直径の円柱状部材であって、保持部２０の先端の雌ねじ部２０Ａに対して、雄ねじ部１６Ａによりねじ込んで取付け、且つ反対方向に回転させることによって取り外しできるようにされている。【００２７】
前記作用側電極構造体１２と非作用側電極構造体１４は、図３に拡大して示されるように、それぞれの中心軸線が平行となるように配置されている。又、前記作用側電極構造体１２は、ロッド状部材１６側から作用側電極３６と、電解液保持部３８と、第２イオン交換膜４０と、薬液保持部４２と、第１イオン交換膜４４と、をこの順で積層して構成されていて、直径が２〜６ｍｍ程度の円板形状に形成されている。【００２８】
前記作用側電極３６は、ベースシート１３の一方の面に塗布された、例えばカーボンペースト等の非金属導電フィラーが配合された導電塗料から構成するとよい。この作用側電極３６を銅板や金属薄膜によって構成することもできるが、ここから溶出した金属が薬剤投与に際して生体に移行することも考えられるので、非金属性が好ましい。【００２９】
前記電解液保持部３８は、例えば、前記作用側電極３６に塗布された電解質塗料から構成される。この電解質塗料は電解質を含有する塗料であり、水の電解反応（プラス極での酸化及びマイナス極での還元）よりも酸化又は還元され易い電解質、例えばアスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。【００３０】
電解質塗料には、塗料としての塗布性や製膜性を向上させるために、ポリビニルアルコール、ポリアクリル酸、ポリアクリルアミド、ポリエチレングリコール等の親水性高分子が配合され、又、電解質塗料の粘度を調整するための水、エタノール、プロパノール等の溶媒が適当量配合される。更に、増粘剤、チキソ剤、消泡剤、顔料、香料、着色料等の適宜の追加的な成分を配合することもできる。【００３１】
前記第２イオン交換膜４０は、前記電解液保持部３８に第２のイオン交換塗料を塗布することによって形成される。【００３２】
この第２のイオン交換塗料は、後述の、薬液保持部４２中の薬物イオンと反対導電型のイオンを対イオンとするイオン交換基が導入されたイオン交換樹脂を含有する塗料であり、薬液保持部４２における薬効成分がプラスの薬物イオンに解離する薬剤が使用される場合には陰イオン交換樹脂が配合され、逆に、薬効成分がマイナスの薬物イオンに解離する薬剤が使用される場合には陽イオン交換樹脂が配合される。【００３３】
前記薬液保持部４２は、前記第２イオン交換膜４０に塗布された薬剤塗料からなり、水等の溶媒に溶解する等により薬効成分がプラス又はマイナスのイオン（薬物イオン）に解離する薬剤（薬剤の前駆体を含む）を含有する塗料であり、薬効成分がプラスのイオンに解離する薬剤としては、麻酔薬である塩酸リドカイン、麻酔薬である塩酸モルヒネ等を例示することができ、薬効成分がマイナスのイオンに解離する薬剤としては、ビタミン剤であるアスコルビン酸等を例示することができる。【００３４】
前記第１イオン交換膜４４は、薬液保持部４２に塗布された第１のイオン交換塗料から形成されている。この第１のイオン交換塗料は、薬液保持部４２中の薬物イオンと同一導電型のイオンを対イオンとするイオン交換基が導入されたイオン交換樹脂を含有する塗料であり、薬液保持部４２の薬効成分が、プラス又はマイナスの薬物イオンに解離する薬剤が使用される場合には、陰イオン交換樹脂又は陽イオン交換樹脂が配合される。【００３５】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。【００３６】
又、上記陰イオン交換樹脂としては、前記陽イオン交換樹脂と同様の３次元的な網目構造を持つ高分子に、１〜３級アミノ基、４級アンモニウム基、ピリジル基、イミダゾール基、４級ピリジニウム基、４級イミダゾリウム基等の陰イオン交換基（対イオンが陰イオンである交換基）が導入されたイオン交換樹脂が制限無く使用できる。【００３７】
前記非作用側電極構造体１４は、非作用側ベースシート１５の一方の面側に設けられた非作用側電極４６と、第２電解液保持部４８と、第３イオン交換膜５０と、第３電解液保持部５２と、第４イオン交換膜５４とをこの順で積層して構成され、前記作用側電極構造体１２と同様に円板形状とされている。【００３８】
前記非作用側電極４６は、前記作用側電極構造体１２における作用側電極３６と同様の構成であり、又、前記第２電解液保持部４８及び第３電解液保持部５２の構成及び成分も、前記電解液保持部３８と同様である。【００３９】
更に、前記第３イオン交換膜５０は、前記第２電解液保持部４８上に塗布されたイオン交換塗料から形成されている。このイオン交換塗料は、前記第１イオン交換膜４４を形成している第１のイオン交換塗料と同様であり、第１イオン交換膜４４と同様の、イオン交換膜として機能する。【００４０】
前記第４イオン交換膜５４は、前記第３電解液保持部５２上に塗布された、上記と同様の第２のイオン交換塗料から形成されている。この第４イオン交換膜５４は、第２イオン交換膜４０と同様のイオン交換膜として機能する。【００４１】
前記ベースシート１３の他方の面には、作用側電極端子板３２Ａが設けられ、この作用側電極端子板３２Ａは、前記作用側電極構造体１２の作用側電極３６に対して、ベースシート１３に設けたスルーホールを介して導通されると共に、前記作用側電極端子３２に接続されている。【００４２】
同様に、前記非作用側ベースシート１５の他方の面には、非作用側電極端子板３４Ａが設けられていて、この非作用側電極端子板３４Ａは、非作用側電極構造体１４の非作用側電極４６に対して、非作用側ベースシート１５に形成されたスルーホールを介して導通されると共に、前記非作用側電極端子３４に接続されている。【００４３】
前記作用側電極構造体１２及び非作用側電極構造体１４は、共に、その先端の前記第１交換膜４４及び第４イオン交換膜５４がそれぞれ露出されて、生体側に接触できるようにされている。【００４４】
前記直流電源１８は、例えばＡＣ／ＤＣコンバータからなり、この直流電源１８と前記電源側作用電極端子３３及び電源側非作用電極端子３５との間の前記電源回路２８には、通電時の電流値及び投与時間である通電時間のうち、少なくとも電流値を調整する制御装置５６が設けられ、一定範囲で電流値及び投与時間を調節できるようにされている。【００４５】
ここで、前記作用側電極構造体１２及び非作用側電極構造体１４のそれぞれの先端の第１イオン交換膜４４と第４イオン交換膜５４とは、通電時にこれらの間に直接電流が流れないようにするために、一定の隙間Ｓが設けられている。この隙間Ｓは、前記第１イオン交換膜４４及び第４イオン交換膜５４の直径とほぼ等しい大きさとされている。【００４６】
なお、上記実施の形態の例において、作用側電極構造体１２及び非作用側電極構造体１４の中心軸線が平行となるように取り付けられているが、本発明はこれに限定されるものでなく、例えば図４に示されるように作用側電極構造体１２と非作用側電極構造体１４の中心軸線が先端方向に向かって６０°に交差するように配置してもよく、又、図５に示されるように、中心軸線が拡開するように構成してもよい。【００４７】
これらの実施の形態の例では、棒状の保持部２０の先端に、作用側電極構造体１２と非作用側電極構造体１４が隙間Ｓをもって配置されているので、体外（例えば、メラノーマ、皮膚癌等）又は口中の治療または処置（例えば、歯科治療の局所麻酔、口内炎治療、口腔内の局所麻酔、等）する際に、患部に薬液を浸透させる場合には、医師が握持部２１をもって、先端の作用側電極構造体１２の先端の第１イオン交換膜４４を患部に密着させ、同時に非作用側電極構造体１４の先端の第４イオン交換膜５４も近傍の粘膜等に密着させて通電すれば、目的の個所に容易に目的の薬液をピンポイントで浸透させることができる。患部が口腔内のときは、スイッチ２３をオンして、暗い患部に、照射光学系２６の照射用光ファイバー２４の先端から光を照射して、照明することができる。【００４８】
又、作用側電極構造体１２と非作用側電極構造体１４とをロッド状部材１６と共に、保持部２０から取脱しできるので、容易に薬液の交換をすることができる。【００４９】
上記ロッド型イオントフォレース装置１０は、例えば癌細胞に光増感反応物質を塗布した後に光を当ててこれを吸収させる抗癌療法であるフォトダイナミックセラピー（ＰＤＴ）による治療の際に用いることができる。【００５０】
この場合、前記作用側電極構造体１２における薬液保持部４２には、光増感反応物質を保持し、前記照射光源２２から照射用光ファイバー２４を介して、光増感反応物質に吸収されるべき波長の光により、患部を照射できるように構成する。このＰＤＴの場合、患部にイオントフォレーシスによって光増感反応物質を浸透させた後は、作用側電極構造体１２を患部からずらし、照射用光ファイバー２４の先端を患部の位置として、光増感反応物質に吸収される光を照射する。【００５１】
患部が複雑な形状の場合（２次元凸凹図形の場合）、第１イオン交換膜４４の表面に前記形状を残すように遮光絶縁塗料で絵を描く。その状態で皮膚に押し付けてイオントフォレーシスを行うと、患部のみに光増感反応物質が入ると同時に患部外周に遮光絶縁塗料が付着する。すなわち、光増感反応物質が正常部位に入らず、且つ、光も当たらないという、２重保護をすることができる。
【実施例１】
【００５２】
次に、図６及び図７に示される本発明の実施例２に係るロッド型イオントフォレーシス装置６０について説明する。【００５３】
このロッド型イオントフォレーシス装置６０においては、保持部２０の先端に照射用光ファイバー２４に接続されるリング状のライトガイド６２を設けると共に、作用側電極構造体１２と非作用側電極構造体１４とを、ロッド状部材１６と共に、前後方向に癌にスライドできるようにしたものである。【００５４】
このスライド構造は、ボールペンにおける、先端を突出させ又は引込む２段階位置にするノック構造と同一であり、詳細な説明は省略する。【００５５】
又、リング状のライトガイド６２は、これに接続される照射用光ファイバー２４の先端から出射される光がリング状に導かれ、且つ、その内周面から出光するように構成されている。【００５６】
又、このライトガイド６２の先端は、突出位置における前記作用側電極構造体１２及び非作用側電極構造体１４の先端とほぼ一致するようにされている。【００５７】
従って、薬液投入時には、前記ロッド状部材１６等を突出位置において、薬液投入後に、これを引込位置にすると、薬液を投入した幹部が作用側電極構造体１２と離間し、その隙間に、ライトガイド６２の内周面からの光が照射されることになる。【００５８】
なお、上記実施例は、保持部２０に、照射用光ファイバー２４が設けられたものであるが、ＰＤＴに用いられない場合、患部の照明が不用な場合は、照射用光ファイバー２４を含む照射光学系２６は不要である。
【産業上の利用の可能性】
【００５９】
この発明において、イオントフォレーシス装置における作用側電極構造体及び非作用側電極構造体は、ロッド状部材の先端に設けられ、且つ、このロッド状部材は棒状の保持部の先端に着脱自在に支持されていて、例えばメラノーマの部位等のピンポイントにイオントフォレーシスによって抗癌剤を浸透させて、副作用が少なく、効率的に治療することができる。又、薬液はロッド状部材と共に作用側電極構造体及び非作用側電極構造体を、支持部材から取脱して、交換することができる。
【図１】
2007032446.tif 000002
【図２】
2007032446.tif 000003
【図３】
2007032446.tif 000004
【図４】
2007032446.tif 000005
【図５】
2007032446.tif 000006
【図６】
2007032446.tif 000007
【図７】
2007032446.tif 000008
【国際調査報告】
2007032446.tif 000009
2007032446.tif 000010